(57)【要約】本発明は、電子装置（１）の電力消費量を決定するための方法およびシステムに関し、この電子装置には周辺装置（２）が接続され、この周辺装置には電子装置（１）から電力が供給される。少なくとも第１の最大値と、該第１の最大値より高い第２の最大値が、電力消費量について決定される。電子装置（１）と周辺装置（２）との間で、周辺装置（２）の電力消費量についての最大が、実質的に前記第１および第２の最大値の間の値に設定される。本発明は、本方法が適用される電子装置（１）および周辺装置（２）にも関する。
2005521152.tif 000002
【特許請求の範囲】
【請求項１】
電子装置（１）における電力消費量を決定する方法であって、該電子装置には周辺装置（２）が接続され、該周辺装置には、前記電子装置（１）から電力が供給され、電力消費量について、少なくとも第１の最大値と、該第１の最大値より高い第２の最大値とを決定すること、および、前記電子装置（１）と前記周辺装置（２）との間で、前記周辺装置（２）の電力消費量についての最大値を、前記第１および第２の最大値の間に実質的に存在する値に設定することを特徴とする方法。
【請求項２】
前記第１の最大限度は、電力消費量についてのデフォルト値として用いられ、前記周辺装置（２）の電力消費量は、始動段階で、前記第１の最大限度よりも実質的に高くならないように設定されることを特徴とする請求項１に記載の方法。
【請求項３】
前記第２の最大限度は、電力消費量についての最も高い許容可能限度として用いられるることを特徴とする請求項１または２に記載の方法。
【請求項４】
前記周辺装置の電力消費量を、実質的に前記第１の最大限度と前記第２の最大限度との間の値に設定するために、前記電子装置（１）と前記周辺装置（２）との間をメッセージが転送されることを特徴とする請求項１、２、または３に記載の方法。
【請求項５】
前記電子装置（１）に関連して用いられる前記周辺装置（２）中に少なくとも１つのコンテンツが保存され、前記コンテンツを保存する段階では、前記周辺装置（２）について設定された電力使用量は、前記第２の最大限度に対応する値であり、前記コンテンツを使用する段階では、前記周辺装置（２）について設定された電力使用量は、前記第１の最大限度に対応する値であることことを特徴とする請求項１〜４のいずれか一項に記載の方法。
【請求項６】
少なくとも１つのクロック信号が前記周辺装置（２）中で生成されること、および前記周辺装置（２）の電力消費量は、少なくとも１つのクロック信号の周波数を調整することによって制御されることを特徴とする請求項１〜５のいずれか一項に記載の方法。
【請求項７】
前記周辺装置（２）は少なくとも１つのバスを含むこと、および前記周辺装置（２）の電力消費量は、前記周辺装置（２）のバス幅を制御することによって制御されることを特徴とする請求項１〜６のいずれか一項に記載の方法。
【請求項８】
前記周辺装置（２）は、２つ以上の保存ブロック（１４ａ−１４ｄ）を備えており、前記周辺装置（２）の電力消費量は、前記周辺装置（２）により実質的に同時に処理される保存ブロック（１４ａ−１４ｄ）の数を制御することによって制御されることを特徴とする請求項１〜７のいずれか一項に記載の方法。
【請求項９】
周辺装置（２）と、該周辺装置（２）に電力を供給するための手段（８）とを接続するための手段（７）を有する電子装置（１）を含み、電力消費量を決定するための手段（７，１０，１４）を含むシステムであって、少なくとも第１の最大値と、該第１の最大値より高い第２の最大値とが電力消費量について定義されること、および電力消費量を決定するための手段が、周辺装置（２）の電力消費量の最大値を、前記第１の最大値および第２の最大値の間にある値に設定するための手段（３，１３，１６，１７）を含むことを特徴とするシステム。
【請求項１０】
前記周辺装置の電力消費量を、実質的に前記第１の最大限度と前記第２の最大限度との間の値に設定するために、前記電子装置（１）と前記周辺装置（２）との間でメッセージを転送するための手段（７，１０）を含むことを特徴とする請求項９に記載のシステム。
【請求項１１】
前記周辺装置（２）は、少なくとも１つのクロック信号を生成するための手段（１６）を含むこと、および前記システムは、前記少なくとも１つのクロック信号を調整することにより前記周辺装置（２）の電力消費量を制御するための手段（７，１０，１３）を含むことを特徴とする請求項９または１０に記載のシステム。
【請求項１２】
前記周辺装置（２）は、少なくとも１つのバスを含むこと、および前記システムは、前記周辺装置（２）のバス幅を調整することにより前記周辺装置（２）の電力消費量を制御するための手段（７，１０，１３）を含むことを特徴とする請求項９、１０、または１１に記載のシステム。
【請求項１３】
前記周辺装置（２）は、２つ以上の保存ブロック（１４ａ−１４ｄ）を備えていること、および前記周辺装置（２）の電力消費量を制御するための手段（７，１０，１３）は、前記周辺装置（２）により実質的に同時に処理される保存ブロック（１４ａ−１４ｄ）の数を調整するための手段（１３，１８ａ−１８ｂ）を含むことを特徴とする請求項９〜１２のいずれか一項に記載の方法。
【請求項１４】
前記電子装置（１）が携帯型電子装置（１）であることを特徴とする請求項９〜１３のいずれか一項に記載のシステム。
【請求項１５】
移動局機能を実行するための手段を含むことを特徴とする請求項１４に記載のシステム。
【請求項１６】
周辺装置（２）と、該周辺装置（２）に電力を供給するための手段（８）とを接続するための手段（７）、および電力消費量を決定するための手段（７）を備える電子装置（１）であって、少なくとも第１の最大値と、該第１の最大値より高い第２の最大値とが電力消費量について定義されること、および電力消費量を決定するための手段が、前記周辺装置（２）の電力消費量の最大値を、前記第１の最大値と第２の最大値との間にある値に設定するための手段（３）を含むことを特徴とする電子装置。
【請求項１７】
前記周辺装置の電力消費量を、実質的に前記第１の最大限度と前記第２の最大限度との間の値に設定するために、前記周辺装置（２）からメッセージを伝送し前記周辺装置（２）からメッセージを受信するための手段（７）を含むことを特徴とする請求項１６に記載の電子装置（１）。
【請求項１８】
携帯型電子装置（１）であることを特徴とする請求項１６または１７に記載の電子装置（１）。
【請求項１９】
移動局機能を実行するための手段を含むことを特徴とする請求項１８に記載の電子装置（１）。
【請求項２０】
周辺装置（２）を電子装置（１）に接続するための手段（１０）を有し、前記電子装置から、前記周辺装置（２）を用いるために必要とされる電力が前記周辺装置（２）に供給されるように手配される周辺装置（２）であって、少なくとも第１の最大値と、該第１の最大値より高い第２の最大値とが電力消費量について定義されること、および前記周辺装置は、該周辺装置（２）の電力消費量の最大値を、前記第１の最大値と第２の最大値との間にある値に設定するための手段（１３，１６，１７）を含むことを特徴とする周辺装置。
【請求項２１】
少なくとも１つのコンテンツが、電子装置（１）に関連して用いられる前記周辺装置（２）中に保存されることを特徴とする請求項２０に記載の周辺装置（２）。
【請求項２２】
前記周辺装置（２）は、少なくとも１つのクロック信号を生成するための手段（１６）と、前記少なくとも１つのクロック信号を制御することにより前記周辺装置（２）の電力消費量を制御するための手段（１３）とを含むことを特徴とする請求項２０または２１に記載の周辺装置（２）。
【請求項２３】
前記周辺装置（２）は、少なくとも１つのバスと、前記周辺装置（２）のバス幅を制御することにより前記周辺装置（２）の電力消費量を制御するための手段（１３）とを含むことを特徴とする請求項２０、２１または２２に記載の周辺装置（２）。
【請求項２４】
前記周辺装置（２）は、２つ以上の保存ブロック（１４ａ−１４ｄ）を備えていること、および前記周辺装置（２）の電力消費量を制御するための手段（７，１０，１３）は、前記周辺装置（２）により実質的に同時に処理される保存ブロック（１４ａ−１４ｄ）の数を制御するための手段（１３，１８ａ−１８ｂ）を含むことを特徴とする請求項２０〜２３のいずれか一項に記載の周辺装置（２）。
【請求項２５】
前記第１の最大値および前記第２の最大値は、前記周辺装置中に保存されることを特徴とする請求項２０〜２４のいずれか一項に記載の周辺装置（２）。
【請求項２６】
MultiMediaCard（登録商標）周辺装置であることを特徴とする請求項２０〜２５のいずれか一項に記載の周辺装置（２）。
【発明の詳細な説明】
【技術分野】
【０００１】
本発明は、電子装置における電力消費量を決定する方法に関し、この電子装置には周辺装置が接続され、この周辺装置は、電子装置から電力が供給される。本発明は、周辺装置およびこの周辺装置に電力を供給するための手段を接続するための手段を備える電子装置を含むシステムにも関し、このシステムは、電力消費量を決定するための手段を含む。さらに、本発明は、周辺装置を接続するための手段、周辺装置に電力を供給するための手段、および周辺装置の電力消費量を決定するための手段を備える電子装置に関する。さらに、本発明は、周辺装置を電子装置に接続するための手段を備える周辺装置に関し、周辺装置を用いるために必要な電力がこの電子装置から周辺装置に供給されるように手配されている。
【背景技術】
【０００２】
現在、例えば、電子装置の特性を拡張するため、および補助機能を生み出すために、様々な周辺装置を接続することが可能な電子装置がいくつか使用されている。例えば、ラップトップコンピュータをローカルエリアネットワーク、陸上通信線または無線電話網等に接続するために、接続カード（例えば、ＰＣＭＣＩＡカード）のような周辺装置をラップトップコンピュータに接続することが可能である。さらに、ラップトップコンピュータのメモリーを拡張するため、外部固定ディスク、ＣＤＲＯＭステーションなどを接続するために周辺装置が使用できる。
【０００３】
とりわけ、MultiMediaCard（登録商標）協会は、メモリー拡張ボード（MultiMediaCard（登録商標）；MultiMediaCard（登録商標）は、Infineon Technologies AGの登録商標である）のための規格を開発している。これらのメモリー拡張ボードは、記憶容量を拡張するために、無線通信装置およびコミュニケータ型装置のような様々な携帯用電子装置において用いることができる。
【０００４】
周辺装置が各種装置に接続できるので、周辺装置の電力消費量は、電子装置から周辺装置に供給できる最大電力を超えるべきではない。さもないと、周辺装置および／または電子装置の動作が妨害されることがあり、電子装置が過熱されることさえあり得る。一方、種々の周辺装置の電力消費量要件は非常に異なることがあり、電子装置の製造業者は、周辺装置接続の電源における最大電力消費量に備えるべきである。電子装置の周辺装置接続の電源が、例えば１５０ｍＡ／３Ｖのオーダーの比較的効率的なレギュレータを備える、Nokia Communicator 9110/9210のような解決策が知られている。そのような効率的なレギュレータは、比較的かさばる構成部品であり、特に携帯型電子装置において実装問題を引き起こすことがある。電子装置用に設計された周辺装置の最大電力消費量にその電力消費量が近い周辺装置を、電子装置に関連してユーザーが使用しないような電子装置においては、最大電力消費量への準備は不要であろう。一方、同様な電子装置の別のユーザーは、電子装置用に設計された周辺装置の最大電力消費量のオーダーにその電力消費量があるような周辺装置を使うことがある。
【０００５】
いくつかの電子装置およびそれらに接続される周辺装置において、動作電圧は、周辺装置が電源投入される時、例えば、電子装置が電源投入される時または周辺装置が接続される時の段階において選択される。従って、電子装置が、周辺装置により要求される動作電圧のレベルを決定し、周辺装置の動作電圧ラインに対して周辺装置にとり適切な動作電圧を選択するために、電子装置と周辺装置との間でシグナリングが実行される。
【０００６】
前記MultiMediaCard（登録商標）協会では、MultiMediaCard（登録商標）タイプのメモリーカードの電力消費量について最大限度が提唱されてきた。従って、この規格をサポートする電子装置においては、定義された最大電力を周辺装置に供給するために対応がなされる。さらに、MultiMediaCard（登録商標）タイプのメモリーカードの電力消費量は、従って、定義された最大限度を越えるべきではない。そのような仕組みは、例えば、開発される新しいメモリーカードの電力消費量がこの最大値に限定されるという理由により困難であり、そのような仕組みは、選択された最大限度よりもその電力消費量を小さくできなようなメモリーカードの実現にとり障害となることがある。最大限度が非常に高く設定されているので後に開発される他のメモリーカードの電力消費量もまず間違いなくこれより小さくなるのであれば、そのことは、電子装置において比較的効率が高くかつ大きいレギュレーターが用いられなければならないことを意味するであろう。
【０００７】
周辺装置の電力消費量は通常、周辺装置において用いられるクロック周波数に比例し、クロック周波数の増加が電力消費量を増大させる。対応して、電力消費量を減少させるために、周辺装置の他の機能を考慮してもし可能であれば、周辺装置のクロック周波数を減少させることができる。しかしながら、周辺装置の動作レートは従って減少し、このことは必ずしも望ましいことではない。また、周辺装置において用いられるバス幅は、どれだけの電力がその周辺装置中で消費されるかについて影響する。
【発明の開示】
【課題を解決するための手段】
【０００８】
各状況において適切な電力消費量を決定するための改善された方法およびシステムを提供することが本発明の目的である。この方法を適用するための電子装置および周辺装置を提供することが本発明の別の目的である。本発明は、電力消費量について少なくとも第１および第２の最大値を決定するという考えに基づき、電子装置および周辺装置は、電力消費量をこれらの第１および第２の最大値の間の値に設定する。従って、種々の動作状況において、例えば、周辺装置は、状況に適するようにその電力消費量を調整できる。本発明に従う方法は、主として、電力消費量について、少なくとも第１の最大値と、該第１の最大値より高い第２の最大値を決定すること、および、電子装置と周辺装置との間で、周辺装置の電力消費量についての最大を、前記第１および第２の最大値の間に実質的にある値に設定することを特徴とする。本発明に従うシステムは、主として、少なくとも第１の最大値と、該第１の最大値より高い第２の最大値とが電力消費量について定義されること、および電力消費量を決定するための手段が、周辺装置の電力消費量についての最大を、前記第１の最大値と第２の最大値との間にある値に設定するための手段を含むことを特徴とする。本発明に従う電子装置は、主として、少なくとも第１の最大値と、該第１の最大値より高い第２の最大値とが電力消費量について定義されること、および電力消費量を決定するための手段が、周辺装置の電力消費量についての最大を、前記第１の最大値と第２の最大値との間にある値に設定するための手段を含むことを特徴とする。さらに、本発明に従う周辺装置は、主として、少なくとも第１の最大値と、該第１の最大値より高い第２の最大値とが電力消費量について定義されること、および電力消費量を決定するための手段が、周辺装置の電力消費量についての最大を、前記第１の最大値と第２の最大値との間にある値に設定するための手段を含むことを特徴とする。
【０００９】
本発明は、先行技術の解決策と比較して顕著な利点を示す。本発明に従う方法によって、電子装置において不必要に大きなレギュレータの使用を避けることが可能になり、これにより費用が節減され、場合によっては、電子装置のサイズを低減でき、一方、高い電力消費量によって引き起こされる加熱の問題を回避できる。また、電力消費量を低減することができ、このことは特に携帯型装置において有利である。本発明を用いて、周辺装置接続に柔軟性を提供することもできる。なぜならば、周辺装置の電力消費量は、調整することができ、各使用状況に適した値に設定できるからである。また、周辺装置のクロック周波数およびバス幅は、本発明の有利な実施の形態に従うシステムにおいて変更できる。さらに、開発される新しい周辺装置が、以前製造された電子装置に関連して機能すること、および現行周辺装置が、開発される新しい電子装置に関連して機能することが本発明により可能になる。本発明に従う解決策を用いることにより、例えば、周辺装置が低レベルの電力消費量で完全には動作できないが、電子装置にこのことを通知できる状況において、電子装置の使い勝手の改善を達成することも可能である。従って、電子装置は、適切な方法で周辺装置のシャットダウン（電源遮断）に配慮することができ、このことをユーザーに通知することができる。
【００１０】
以下では、添付図面に関して本発明をより詳細に説明する。
【発明を実施するための最良の形態】
【００１１】
図１に示される本発明の有利な実施の形態に従うシステムにおいて、電子装置１は、無線通信装置によって例示される。この例では、周辺装置２は、MultiMediaCard（登録商標）規格に準拠するメモリーカードのようなメモリーカードである。しかしながら、本発明はそのような電子装置および周辺装置にのみ限定されるものではなく、本発明は他の電子装置および周辺装置に関しても適用できることが明らかになるであろう。例えば、周辺装置２は、インタフェースカードまたは別の装置とすることもできる。電子装置１は、マイクロコントローラユニット（ＭＣＵ）のような１つ以上のプロセッサを含む制御ブロック３を含んでいる。さらに、電子装置１は、メモリー４、ユーザーインタフェース５ならびにＧＳＭおよび／またはＵＭＴＳ移動通信手段のような移動局機能を実行するための手段６を含んでいる。ユーザーインタフェース５は、好ましくは、ディスプレイ、キーパッドおよび音声手段を、それ自体公知の方法で含んでいる。周辺装置２の接続のため、電子装置１には、例えば、周辺装置２のバスと電子装置１とを互いに接続するために必要なＩ／Ｏブロック９だけでなく少なくとも１つのコネクタ８を含む接続手段７が設けてある。
【００１２】
周辺装置には、周辺装置２を電子装置１に接続するための対応する接続手段１０も設けてある。周辺装置のこの接続手段１０は、電子装置１のコネクタ８に接続できる少なくとも１つのコネクタ１１と、Ｉ／Ｏブロック１２とを含む。周辺装置２への電力供給は、電子装置１からコネクタ８および１１を介して手配される。Ｉ／Ｏブロックは、電子装置１と周辺装置２との間の通信に用いられる。これは、パラレルデータ伝送またはシリアルデータ伝送として行える。例えば、MultiMediaCard（登録商標）仕様に従う前記周辺装置は、シリアルデータ伝送を適用する。しかしながら、本発明を考慮して、電子装置１と周辺装置２との間のデータ伝送がどの型式で実行されるかは重要ではない。
【００１３】
周辺装置２は、周辺装置２の機能を制御するためのプロセッサ１３なども含む。さらに、この周辺装置は、プログラムコード保存のためのリードオンリーメモリー（ＲＯＭ、ＮＶＲＡＭ）だけでなく、例えば、データ保存のための読み取り／書き込みメモリー（ＲＡＭ）のようなメモリー１４も含む。プロセッサは、例えば、周辺装置２と電子装置１との間のデータ伝送におけるＩ／Ｏブロックの制御を担当する。本発明に従う方法において用いられる電力消費量についての少なくとも第１の最大値および第２の最大値も、周辺装置のメモリー１４中に保存される。さらに、周辺装置は、クロック発生器１６ような、プロセッサの動作に必要とされる１つ以上のクロック信号を生成するための手段を含む。
【００１４】
以下は、図１に示されるシステムにおける本発明の好ましい実施の形態に従う方法の動作の説明である。例えば、周辺装置２が電子装置の接続手段のコネクタ８中に配置されているかどうかについての情報は、Ｉ／Ｏブロックを介して電子装置１へ伝送される。これは、例えば、周辺装置２がコネクタ８中に配置されている場合にその状態が変更される検出ライン１５をＩ／Ｏブロック９、１２に提供することによって実現できる。本発明のこの有利な実施の形態において、検出ライン１５は、電子装置１中のプルアップ抵抗Ｒによって検出ライン１５が論理１状態に設定されるように実現される。図１のシステムにおいて、状態変化は、周辺装置２が検出ライン１５を接地するようにして達成され、検出ライン１５の状態は、論理０状態に変更される。この状態変化は、例えば、状態変化が制御ブロック３における割り込みを引き起こすような方法で電子装置１において検出され、対応する割り込みサービスプログラムが実行され、周辺装置の初期化機能の実行が開始される。動作電圧が周辺装置に連結された後、周辺装置２のプロセッサ１３は、それ自身の初期化動作を実行し始める。例えば、周辺装置２の電力消費量は、この有利な実施の形態において、第１の最大限度に従う電力消費量値であるデフォルト値に設定される。この文脈においては、第１の最大限度は第２の最大限度より低いと仮定される。プロセッサは、この電力消費量値に対応するようにクロック発生器１６の周波数も設定する。典型的には、クロック発生器の周波数は最小値に設定される。すべての周辺装置２において、クロック発生器１６の周波数を制御することが必ずしも可能ではなく、クロック発生器１６は、電力消費量を制御するために用いることはできない。
【００１５】
電子装置１により実行される周辺装置の初期化動作において、好ましくは、周辺装置２のタイプが試験され、このことが、実行される初期化動作のタイプに影響することがある。しかしながら、この説明は、本発明を考慮して必須の動作のみを論じる。本発明の有利な実施の形態に従うこの方法において実行されるシグナリングは、添付の図３に概略的に例示されている。周辺装置２のタイプの決定に続いて、カードに保存されている電力消費量についての第１および第２の最大限度が決定される。従って、最大限度読み取りメッセージは、好ましくは、電子装置１から周辺装置２へ伝送される。これは、図３のチャート中の矢印３０１により例示される。メッセージは、周辺装置２において受信され、その内容は、好ましくは、プロセッサ１３において試験される。メッセージに基づき、プロセッサ１３は、第１の最大限度および第２の最大限度をメモリー１４から読み取る（図３のブロック３０２）。２つを超える最大限度があれば、最大限度の数は、好ましくは、メモリー手段中に保存され、プロセッサ１３は、すべての最大限度値をメモリー１４から読み取る。この後、プロセッサ１３は、第１および第２の最大限、および、必要なら、最大限度の数のような要求された情報を含む返信メッセージを生成する（ブロック３０３）。いくつかの最大限度の場合に、他の最大限度の値も、好ましくは、メッセージ中に含まれる。メッセージは、Ｉ／Ｏブロック９、１２を介して電子装置へ伝送され（矢印３０４）、制御ブロックは、受信されたメッセージの情報を読み取り、必要なら、それらを電子装置のメモリー４中に保存する。
【００１６】
周辺装置によりサポートされる電力消費量の最大限度が電子装置１において知られた後、必要なら、周辺装置の電力消費量の調整を開始することが可能である。第２の最大限度に対応する電力を電子装置１が周辺装置２に供給できると仮定しよう。従って、電力制御メッセージは、電子装置１から周辺装置２へ伝送される（矢印３０５）。この電力制御メッセージは、周辺装置２についての最大値、例えば、前記第２の最大限度として設定される電力消費量値を示す。周辺装置のプロセッサ１３は、受信されたメッセージのタイプを試験し、それが電力制御メッセージであると決定した後、そのメッセージ中に示される電力消費量について最大値を読み取る（ブロック３０６）。次に、周辺装置のプロセッサ１３は、例えばクロック発生器１６の動作周波数を、電力消費量についてのこの最大値に対応する値、例えば考えられる最も高い周波数に設定する。いくつかの実施の形態において、プロセッサ内のバス幅は、電力消費量について用いられる最大限度に従って変更することもできる。さらに、周辺装置２は、好ましくは、要求された値に電力消費量が限定されていることを電子装置１に知らせる（矢印３０７）。
【００１７】
電子装置１が周辺装置２に第２の最大限度の電力を供給できなければ、または、別の理由により、電子装置１が、第２の最大限度の電力よりも低い電力消費量についての最大値を設定する傾向があれば、シグナリングを実行することが可能であり、それにより、電子装置１および周辺装置は、その状況において適した電力消費についての最大限度を見出そうとする。これは、例えば、第１および第２の最大限度の間で、電子装置１を考慮して最大値である値を電子装置１が選択するように実行できる。この限度についての情報が周辺装置２へ伝送され、提案された値がそこで試験１３され、もしそれが許容し得るものであることが判明すれば、この情報は、電子装置１へ転送される。周辺装置２がそれ自体の電力消費量を、提案された最大値に対応するようなレベルに設定できなければ、周辺装置２は、第１および第２の最大値の間のより低い値を提案するであろう。電子装置１を考慮してこの値が可能であれば、電子装置１は、この情報を周辺装置２へ伝送し、そこで電力消費量はこの値に設定される。周辺装置２によって提案された値が適切でなければ、有利には、電子装置１は、好ましくは、より低い値であるが、ただし第１の最大限度と少なくとも等しい別の値を選択し、それを周辺装置２に報告する。上記で提示されたステップは、電子装置１および周辺装置２双方に適する電力消費量値が見出されるまで繰り返される。場合によっては、唯一の適切な値が第１の最大値であることがあり、その場合にこの値はデフォルト値なので、電力消費量が調整される必要はない。
【００１８】
電子装置１およびこれに接続された周辺装置２の動作の間に電力消費量の値を変更する必要があることもある。例えば、周辺装置が、移動局カードまたはモデムカードのようなトランシーバーカードであれば、例えば、伝送時に、周辺装置２の電力消費量限度を大きく変更することが必要になることがある。従って、例えば、周辺装置２が電力消費量を変更する必要を検出した段階で、周辺装置は、メッセージを電子装置１へ伝送し、新たな、ただし第１および第２の最大値の間の電力消費量値を提案する。メッセージの交換は、必要に従って周辺装置の電力消費量を制御するために、上述の原則を適用することにより、電子装置１と周辺装置２との間で実行される。電力消費量についての必要が再度変更される場合、電力消費量の新たな調整がなされ得る。
【００１９】
周辺装置の電力消費量を変更する必要は、電子装置１中で生じることもある。例えば、電子装置１の動作が省電力モードへ移る場合、または電子装置中のバッテリー（図示せず）の充電が減少した場合に、電子装置１は、電力消費がより少ない状態へ移るように周辺装置２を制御することがある。
【００２０】
本発明に従う周辺装置は、電力消費を調整する可能性を持たない電子装置１にも接続できる。従って、周辺装置２は、１つのデフォルト値、すなわち、好ましくは第１の最大限度を電力消費量値として設定する。その結果、本発明に従う周辺装置は、周辺装置２の電力消費量を制御するために本発明に従う方法のステップが実行されないような電子装置１にも接続できる。
【００２１】
上記では、２つを超える異なる最大限度の使用が、電力消費量についての最大値として言及された。この文脈においては、他の最大限度は、第１および最大第２の限度の間にあると仮定される。これらの異なる最大限度は、例えば、周辺装置において種々のバス幅が選択され得る用途において実現可能である。例えば、図２のシステムにおいて、周辺装置と電子装置との間の接続のバス幅は、３つの値、すなわち８、１６、または３２ビットのいずれかとして選択できる。同時に、接続のために選択されたこのバス幅は、この有利な実施の形態においては、周辺装置２の内部バス１７中においても用いられる。典型的には、電力消費量がより高くなると、より広バスが用いられる。従って、仮定は、好ましくは、始動段階でのバス幅は８ビットであるが、電子装置１および周辺装置２は、別のバス幅の使用について、すなわち電力消費量についての最大限度の変更について取り決め得るというものである。これは、上述の原理を適用することにより実現できる。しかしながら、前記バス幅は、バス幅のいくつかの非限定的な例にすぎないことが明らかになるであろう。
【００２２】
周辺装置のクロック発生器１６の周波数は、必ずしも無段階に調整可能なわけではないが、いくつかの予め決められた値から周波数についての値を選択可能である。従って、これらの種々の周波数に対応する電力消費量についての最大限度は、前記最大限度として周辺装置中に保存することができ、あるいは第１の最大限度（最も低い電力消費量）および第２の最大限度（最も高い電力消費量）が保存されさえすれば、この詳細な説明において上記で説明されたように、適切な電力消費量限度を調整するために、電子装置１と周辺装置との間でのメッセージ交換を実行することが可能である。
【００２３】
その結果、周辺装置２の電力消費量は、例えば、クロック周波数および／またはバス幅を変更することによって調整できるが、電力消費量を調整するためのその他の方法もまた知られており、本発明に関連して適用可能であることは明らかである。周辺装置２の動作電圧が所定の一定値である必要はないのであれば、電力消費量は、動作電圧を制御することによっても制御できる。動作電圧を、例えば、３Ｖ、３.３Ｖ、または５Ｖのいずれかに選択できる周辺装置が知られている。周辺装置の電力消費量を制御する可能性のこの文脈において言及されるさらに別の例は、周辺装置の電流消費量を制御することである。
【００２４】
さらに、周辺装置２の電力消費量は、もし独立して調整可能であれば、周辺装置と電子装置との間の接続バスクロック周波数を変更することによっても調整できる。バスのクロック周波数は、例えば、電子装置１によりおよび／または、必要なら、周辺装置２により変更できる。電子装置１は、上記で提示されたものと同じ原理に従ってバスについてのタイミング信号を発生するクロック発生器（図示せず）を制御する。
【００２５】
本発明の有利な実施の形態において、周辺装置２のメモリーの少なくとも一部が２つ以上のメモリーブロックに分割され、いわゆる保存バンクを成形する。従って、この周辺装置においては、例えば、周辺装置２について定義された最大電力消費量値に基づいて使用するために、これらのメモリーブロックの１つ以上が選択され得る。電力消費量値がより高ければ、電力消費量値がより低い場合よりも多くのメモリーブロックを使用することが一般に可能である。図４は、そのような周辺装置の構造の例を示す。図４において示される周辺装置２において、メモリー１４には、４つのメモリーブロック１４ａ、１４ｂ、１４ｃ、１４ｄが設けてあるが、実際の応用においては、保存バンクの数は、本発明の範囲内で、４以外にもできることが明らかである。メモリーブロック１４ａ〜１４ｄを使用するため、そしてそれらをサービスから除去するため、接続ライン１８ａ〜１８ｄが、好ましくは、プロセッサ１３から提供され、例えば、動作電圧を所望のメモリーブロック１４ａ〜１４ｄへ連結しており、または連結ラインは、各メモリーブロック１４ａ〜１４ｄをアクティブモードまたは節電モードに切り替えるために使用される。また、上記で提示される方法は、この詳細な説明において上記で提示されたような電力消費量を制御するための方法の代わりにあるいはそれらに加えて周辺装置２の電力消費量を制御するために用い得る。
【００２６】
電子装置１において、電力制御は、例えば、出力電圧が変更できる電源を電子装置１に設けることによって実行できる。従って、電子装置１においては、周辺装置に供給される動作電圧は、その時の電力消費量に対応する電圧値となるように選択される。
【００２７】
本発明に従う方法は、電子装置１に関連して使用する様々なコンテンツの実現においても、例えば以下の方法で応用できる。周辺装置２として、コンテンツをその中に保存できる、MultiMediaCard（登録商標）規格の定義に準拠するカードのようなメモリーカードを用いることが可能である。この文脈においては、コンテンツは、データファイル、アプリケーションプログラム、電子ブック、音楽やビデオのような視聴覚情報を指す。例えば、コンテンツプロバイダは、そのようなコンテンツをメモリーカード上に保存する。従って、メモリーカード２は、コンテンツをメモリーカード２に転送するための手段を備えた電子装置に接続される。従って、保存を開始する前に、電子装置およびメモリーカード２は、メモリーカードの電力消費量を、好ましくは第２の最大限度に対応する値に設定する。これは可能である。なぜならば、コンテンツを保存するために用いられるそのような電子装置１において、メモリーカードの電力消費量はほとんど重要性を持たないが、電子装置１は十分な電力をメモリーカード２に供給できるからである。従って、保存は最大レートで実行できる。なぜならば、メモリーカードのクロック周波数および／またはバス幅が最大に設定できるからである。また、考えられる保存欠陥を検出するために、メモリーカード２上に保存されたコンテンツの検査は、最大レートで実行できる。最大の保存および／または検査レートのおかげで、電子装置１のコンテンツ生成レートは、先行技術の方法と比較して増大させることができる。
【００２８】
対応して、メモリーカード２上に保存されたコンテンツが電子装置１中で使用される必要がある段階において、メモリーカード２の電力消費量は、電子装置１に適したレベル、例えば考えられる最も低い電力消費量に設定できる。従って、本発明の方法を適用する場合、コンテンツ生成レートは、コンテンツの使用において考えられる最大電力消費量値に従って限定される必要はない。
【００２９】
周辺装置の電力制御のために本発明に従う方法を用いることができるので、周辺装置２は、各種の電子装置に接続できる。いくつかの電子装置においては、最小電力消費量に対応する電力（電圧および電流）を周辺装置に供給することのみが可能であり、電子装置１は、大きなレギュレーターを必要とせず、電子装置のサイズは、大きなレギュレーター用スペースの必要のために増大される必要はない。一方、電力消費量は、開発される周辺装置２において限定される必要はない。なぜならば、適切な電力消費量値は、電子装置および周辺装置によって取り決めることができるからである。従って、周辺装置がそのような電子装置に接続されれば、比較的高い電力を周辺装置接続に供給することができ、周辺装置は、（高いクロック周波数／大きなバス幅で）極力効率的に用いることができる。初期化の段階において、適切な電力消費量値が選択されるまで、そのような周辺装置でさえより低い電力消費量で動作する。本発明に従うシステムにおいては、将来開発され、電子装置において高い電力さえ必要とするかもしれない周辺装置の使用に備えることが可能である。しかしながら、すべての電子装置のデザインにおいて高い電力消費量のカードを考慮する必要はない。
【００３０】
電力消費量の設定において取られるステップが、メッセージという形の上記のハンドシェイク以外の方法でも実現できることが明らかになるであろう。例えば、接続手段７、１０には、周辺装置の電力消費量を設定するために使用される接続ラインを設けることができる。さらに、特定の代替（許容可能）値が前記最大限度について定義されるようなやり方で本発明を適用することができ、各周辺装置についての第１の最大限度および第２の最大限度は、これらの代替限度のセットから選択される。
【００３１】
周辺装置２はカード形式の周辺装置装置である必要はないが、用いられる周辺装置２は、電子装置１に接続できる別の装置であってもよいことも言及しなければならない。そのような周辺装置の言及すべき１つの非限定的な例は、例えば、無線通信装置、コンピュータなどに接続されるカメラである。従って、電力消費量を制御することにより、カメラの機能特性に影響を及ぼすことが考えられる。例えば、電子装置上のカメラの画像の更新レートは、電力消費量がより高い場合よりも電力消費量がより低い場合により低いことがある。従って、電子装置１は、好ましくは、周辺装置２として用いられるカメラの電力消費量を、電子装置１によって周辺装置にどれほど高い電力を供給できるかに基づいて設定できる。本発明の有利な実施の形態において、電子装置１のユーザーも、電力消費量についての最大限度を設定することができ、ユーザーは、必要なら、例えば電子装置の動作時間を延長するために最大限度を低減させることができる。
【００３２】
本発明は、上述の実施の形態にのみ限定されないが、添付の請求項の範囲内で変更できることは明らかである。
【図面の簡単な説明】
【００３３】
【図１】本発明の好ましい実施の形態に従うシステムを概略ブロック図で示す。
【図２】本発明の第２の好ましい実施の形態に従うシステムを概略的に示す。
【図３】本発明の好ましい実施の形態に従う方法におけるシグナリングを概略的に示す。
【図４】本発明のさらに別の好ましい実施の形態に従う周辺装置を概略ブロック図で示す。
【図１】
2005521152.tif 000003
【図２】
2005521152.tif 000004
【図３】
2005521152.tif 000005
【図４】
2005521152.tif 000006
【国際調査報告】
2005521152.tif 000007
2005521152.tif 000008
2005521152.tif 000009
2005521152.tif 000010
2005521152.tif 000011